(57)【特許請求の範囲】
【請求項１】
近距離無線通信をする第１通信機能と、前記第１通信機能と異なる無線通信をする第２通信機能とを有する情報サーバと、
前記第１通信機能と前記第２通信機能とを有する表示端末と、
受験票から受験者に固有の識別情報を読み取る第１読み取り手段と、
前記第１通信機能と、前記情報サーバと通信する機能とを有する携帯端末と
を有する受験者管理システムであって、
前記情報サーバは、
受験者の識別情報と対応づけて、前記受験者の個人情報を含む受験者情報を記憶する記憶手段と、
前記第１読み取り手段により読み取られた前記識別情報を受信する受信手段と、
受験者が使用する前記表示端末から、前記第１通信機能を利用して端末識別情報を読み取る第２読み取り手段と、
前記端末識別情報を読み取られた前記表示端末に対して、前記識別情報に対応する前記受験者情報を前記第２通信機能により送信する第１送信手段と、
前記携帯端末からの前記端末識別情報をもとにした問い合わせに対して、前記端末識別情報が設定された前記表示端末を使用する受験者の受験者情報を送信する第２送信手段とを有し、
前記表示端末は、
前記第１送信手段により送信される前記受験者情報を表示する第１表示手段と、
第１通信機能を有する携帯端末が近接された場合に、前記第１通信機能により前記端末識別情報を送信する第３送信手段とを有し、
前記携帯端末は、
前記第３送信手段により送信された前記端末識別情報をもとに、前記端末識別情報が設定された前記表示端末を使用する受験者の受験者情報を前記情報サーバに問い合わせて表示する第２表示手段を有する受験者管理システム。
【請求項２】
前記受験者情報には、前記受験者の証明写真の画像を含み、
前記携帯端末は、前記受験者情報をもとに前記画像を表示する請求項１記載の受験者管理システム。
【請求項３】
前記受験者情報には、試験会場の場所を示す情報を含み、
前記表示端末は、試験会場の場所を示す画像を表示する請求項１記載の受験者管理システム。
【請求項４】
近距離無線通信をする第１通信機能と、前記第１通信機能と異なる無線通信をする第２通信機能とを有する情報サーバであって、
受験者の識別情報と対応づけて、前記受験者の個人情報を含む受験者情報を記憶する記憶手段と、
受験票から読み取られた受験者に固有の識別情報を受信する受信手段と、
受験者が使用する表示端末から、前記第１通信機能を利用して端末識別情報を読み取る読み取り手段と、
前記端末識別情報が読み取られた前記表示端末に対して、前記識別情報に対応する前記受験者情報を前記第２通信機能により送信する第１送信手段と、
携帯端末からの前記端末識別情報をもとにした問い合わせに対して、前記端末識別情報が設定された前記表示端末を使用する受験者の受験者情報を送信する第２送信手段と
を有する情報サーバ。
【請求項５】
コンピュータを、
受験者の識別情報と対応づけて、前記受験者の個人情報を含む受験者情報を記憶する記憶手段と、
受験票から読み取られた受験者に固有の識別情報を受信する受信手段と、
受験者が使用する表示端末から、近距離無線通信をする第１通信機能を利用して端末識別情報を読み取る読み取り手段と、
前記端末識別情報が読み取られた前記表示端末に対して、前記識別情報に対応する前記受験者情報を、前記第１通信機能と異なる無線通信をする第２通信機能により送信する第１送信手段と、
携帯端末からの前記端末識別情報をもとにした問い合わせに対して、前記端末識別情報が設定された前記表示端末を使用する受験者の受験者情報を送信する第２送信手段として機能させるための受験者管理プログラム。
【発明の詳細な説明】
【技術分野】
【０００１】
本発明の実施形態は、受験者の情報を管理する受験者管理システム、情報サーバ及び受験者管理プログラムに関する。
【背景技術】
【０００２】
一般に入学試験などの試験会場では、受験管理者によって、受験票に記載された氏名と証明写真（顔写真）によって受験者の確認が行われている。これにより、受験者本人とは異なる別人が試験を受ける、なりすまし受験などの不正防止を図っている。
【０００３】
しかしながら、試験会場の入り口受け付けや試験会場において、予め紙の台帳に登録されている氏名と写真をもとにして、受験票に記載された内容が正しく、かつ受験者本人であるかを見比べて確認するのは困難である。
【先行技術文献】
【特許文献】
【０００４】
【特許文献１】特開２００６−３１８０５８号公報
【発明の概要】
【発明が解決しようとする課題】
【０００５】
本発明が解決しようとする課題は、不正な受験を防止可能な受験者管理システム、情報サーバ及び受験者管理プログラムを提供することである。
【課題を解決するための手段】
【０００６】
実施形態の受験者管理システムは、近距離無線通信をする第１通信機能と、前記第１通信機能と異なる無線通信をする第２通信機能とを有する情報サーバと、前記第１通信機能と前記第２通信機能とを有する表示端末と、受験票から受験者に固有の識別情報を読み取る第１読み取り手段と、前記第１通信機能と、前記情報サーバと通信する機能とを有する携帯端末とを有する。前記情報サーバは、記憶手段と、受信手段と、第２読み取り手段と、第１送信手段と、第２送信手段とを有する。記憶手段は、受験者の識別情報と対応づけて、前記受験者の個人情報を含む受験者情報を記憶する。受信手段は、前記第１読み取り手段により読み取られた前記識別情報を受信する。第２読み取り手段は、受験者が使用する前記表示端末から、前記第１通信機能を利用して端末識別情報を読み取る。第１送信手段は、前記端末識別情報が読み取られた前記表示端末に対して、前記識別情報に対応する前記受験者情報を前記第２通信機能により送信する。第２送信手段は、前記携帯端末からの前記端末識別情報をもとにした問い合わせに対して、前記端末識別情報が設定された前記表示端末を使用する受験者の受験者情報を送信する。前記表示端末は、第１表示手段と、第３送信手段とを有する。第１表示手段は、前記第１送信手段により送信される前記受験者情報を表示する。第３送信手段は、第１通信機能を有する携帯端末が近接された場合に、前記第１通信機能により前記端末識別情報を送信する。前記携帯端末は、前記第３送信手段により送信された前記端末識別情報をもとに、前記端末識別情報が設定された前記表示端末を使用する受験者の受験者情報を前記情報サーバに問い合わせて表示する第２表示手段を有する。
【図面の簡単な説明】
【０００７】
【図１】本実施形態に係る受験者管理システムの構成を示すブロック図。
【図２】本実施形態における情報サーバの構成を示すブロック図。
【図３】本実施形態における表示端末とＮＦＣ読み／書き装置の構成を示すブロック図。
【図４】本実施形態における情報サーバにより管理される表示端末管理テーブルの内容の一例を示す図。
【図５】本実施形態における情報サーバにより管理される受験者情報テーブルの内容の一例を示す図。
【図６】本実施形態における表示端末設定処理を示すフローチャート。
【図７】本実施形態における受験者確認処理を示すフローチャート。
【図８】本実施形態における表示端末設定処理を説明するための図。
【図９】本実施形態における表示端末の表示デバイスに受験者情報をもとに表示される案内情報の一例を示す図。
【図１０】本実施形態における受験者確認処理を説明するための図。
【図１１】本実施形態における受験者確認処理を説明するための図。
【発明を実施するための形態】
【０００８】
以下、実施の形態について図面を用いて説明する。  
図１は、本実施形態に係る受験者管理システムの構成を示すブロック図である。  
受験者管理システムは、例えば入学試験などの受験者を、受験管理者側で容易に管理することを可能にするサービスを提供する。受験者管理システムは、複数の表示端末１０（１０−１，１０−２，…，１０−ｎ）、端末管理装置２０、複数の無線中継器２１（図１において１つのみ示す）、端末管理装置２０、情報サーバ４０、複数のＮＦＣ（near field communication）ＮＦＣ読み／書き装置４９（４９−１，４９−２，…，４９−ｊ）、及び複数の確認端末６０（６０−１，６０−２，…，６０−ｋ）を含む。複数の確認端末６０（６０−１，６０−２，…，６０−ｋ）には、受験票７０に印刷された二次元コード（バーコードなど）を光学的に読み取るバーコードスキャナ６１（６１−１，６１−２，…，６１−ｋ）がそれぞれ接続される。複数の携帯端末３０（３０−１，３０−２，…，３０−ｍ）は、例えば受験管理者（試験会場の試験監督官など）が所有するもので、情報サーバ４０が管理する情報（受験者情報等）を閲覧する際に使用される。
【０００９】
表示端末１０は、受験者に対して、試験会場の到着時に貸与されるもので、情報サーバ４０から提供される情報を表示する。表示端末１０は、例えば一般に電子棚札と称される表示デバイスにより実現することができる。表示端末１０は、無線中継器２１との間で通信する無線通信機能と、ＮＦＣ読み／書き装置４９との間で通信する近距離無線通信機能（ＮＦＣ）を有する。
【００１０】
端末管理装置２０は、情報サーバ４０の制御のもとで、無線中継器２１を介して、複数の表示端末１０のそれぞれと無線通信することができる。端末管理装置２０は、表示端末１０のそれぞれに割り当てられた表示端末ＩＤと、受験者の個々を識別可能に定められた受験番号との関連付けを管理する。端末管理装置２０は、関連付けが変更された場合に、該当する表示端末ＩＤで識別される表示端末１０で表示する画像を、新たに関連付けられる受験番号で識別される受験者に対する情報を表すものに変更する。
【００１１】
携帯端末３０は、モバイルネットワーク３００及びインターネット４００を介してのデータ通信機能と、ＮＦＣによるデータ通信機能とを備える。携帯端末３０は、例えば、スマートフォンやタブレット端末（ＰＣ）などにより実現される。また、携帯端末３０は、ＮＦＣによるデータ通信機能を備えており、例えば試験会場内で受験者に貸与された表示端末１０との間で近距離無線通信機能（ＮＦＣ）によるデータ通信が可能である。
【００１２】
ＮＦＣ読み／書き装置４９は、表示端末１０が近接（例えば１０ｃｍ以内）されることにより、近距離無線通信機能（ＮＦＣ）によるデータ通信をする。ＮＦＣ読み／書き装置４９は、表示端末１０に対して識別情報（ＮＦＣＩＤ）の書込み、あるいは表示端末１０に各種データを記録させる。ＮＦＣ読み／書き装置４９は、例えば試験会場の入り口近く（受け付け）に設置される。  
確認端末６０は、例えばパーソナルコンピュータなどの情報機器により実現されるもので、キーボードやタブレットなどの入力デバイス、ディスプレイなどの表示装置を有する。また、確認端末６０には、バーコードスキャナ６１が接続される。確認端末６０は、バーコードスキャナ６１によって受験票７０に記録されたバーコードを読み取り、バーコードが表すデータ（受験者に固有の識別情報（受験番号）など）を情報サーバ４０に送信する。確認端末６０は、情報サーバ４０から提供されるデータの出力（表示）、情報サーバ４０に記録させるデータの入力等に使用される。確認端末６０は、例えば試験会場の入り口近く（受け付け）に設置され、受験票７０を所持する受験者に関する情報などを表示し、また入り口担当者による受験者の本人確認の結果などを示すデータを情報サーバ４０に送信する。  
なお、複数の確認端末６０は、それぞれＮＦＣ読み／書き装置４９の何れかと対応づけられている。
【００１３】
図２は、本実施形態における情報サーバ４０の構成を示すブロック図である。  
情報サーバ４０は、例えば汎用のサーバ装置やコンピュータ装置によって実現することができる。情報サーバ４０は、図２に示すように、ＣＰＵ４１、ＲＯＭ４２、ＲＡＭ４３、補助記憶デバイス４４、通信デバイス４５，４６、及び伝送システム４７を含む。伝送システム４７は、ＣＰＵ４１、ＲＯＭ４２、ＲＡＭ４３、補助記憶デバイス４４、通信デバイス４５，４６の間でデータを伝送する。伝送システム４７は、システムバスなどの各種のバスと、これらのバスと各部とを接続する各種のインタフェース回路とを含む周知のものであって良い。
【００１４】
ＣＰＵ４１、ＲＯＭ４２、ＲＡＭ４３及び補助記憶デバイス４４は、伝送システム４７により接続されてコンピュータを構成する。
【００１５】
ＣＰＵ４１は、ＲＯＭ４２に記憶されたオペレーティングシステムや、ＲＯＭ４２または補助記憶デバイス４４に記憶されたアプリケーションプログラム（受験者管理プログラムを含む）に基づいて、情報サーバ４０としての機能を実現するための制御処理を実行する。ＣＰＵ４１は、受験者管理プログラムを実行することにより、例えば後述する表示端末設定処理、受験者確認処理等を実行する機能を実現する。受験者管理プログラムは、例えば、磁気ディスク、光磁気ディスク、光ディスク、半導体メモリなどのようなリムーバブルな記録媒体に記録して、あるいはネットワークを介して配布される。
【００１６】
ＲＯＭ４２は、オペレーティングシステム及びアプリケーションプログラムを記憶する。またＲＯＭ４２は、ＣＰＵ４１が各種の処理を行う上で参照するデータを記憶する場合もある。
【００１７】
ＲＡＭ４３は、ＣＰＵ４１が各種の処理を行う上で参照するデータを記憶する。さらにＲＡＭ４３は、ＣＰＵ４１が各種の処理を行う上で一時的に使用するデータを記憶しておく、いわゆるワークエリアとして利用される。
【００１８】
補助記憶デバイス４４は、アプリケーションプログラム、ＣＰＵ４１が各種の処理を行う上で使用するデータ、あるいはＣＰＵ４１での処理によって生成されたデータを保存する。補助記憶デバイス４４は、例えば表示端末管理テーブル４４ａ（図４参照）、受験者情報テーブル４４ｂ（図５参照）、案内データ４４ｃなどが記憶される。表示端末管理テーブル４４ａは、受験者に貸与される表示端末１０と受験者との対応を管理するためのデータである。受験者情報テーブル４４ｂは、受験者個人に関するデータである。案内データ４４ｃは、受験者に対して試験会場を案内するためのデータである。案内データ４４ｃには、試験会場の配置を示すレイアウトデータ（建物内地図）、試験時間などのデータが含まれる。以下、受験者情報テーブル４４ｂ、案内データ４４ｃに含まれるデータの全て、あるいは一部を受験者情報と称する。受験者情報は、情報サーバ４０の管理により、不正な受験を防止するため受験管理者側が対応できるようにシステム内で送受信される。
【００１９】
通信デバイス４５は、インターネット４００、モバイルネットワーク３００を介して、携帯端末３０と通信するためのデバイスである。
【００２０】
通信デバイス４６は、端末管理装置２０、ＮＦＣ読み／書き装置４９、確認端末６０と通信するためのデバイスである。通信デバイス４６は、有線あるいは無線によるネットワークを通じて通信することが可能である。
【００２１】
図３は、本実施形態における表示端末１０とＮＦＣ読み／書き装置４９の構成を示すブロック図である。  
本実施形態における表示端末１０は、図３に示すように、コントローラ１１、通信デバイス１２、ＮＦＣユニット１３、メモリ１４、及び表示デバイス１５を含む。
【００２２】
コントローラ１１は、ＣＰＵ（central processing unit）、ＲＯＭ（read-only memory）及びＲＡＭ（random-access memory）を含んだコンピュータの機能を有する。コントローラ１１は、情報サーバ４０からの指示に応じた画像を表示するため各部を制御する。
【００２３】
通信デバイス１２は、無線中継器２１と無線通信を行い、コントローラと端末管理装置２０とのデータ通信を可能とする。通信デバイス１２としては、例えばＩＥＥＥ８０２．１５．４に準拠した周知のデバイスが利用できる。
【００２４】
ＮＦＣユニット１３は、表示端末１０に近接されたＮＦＣ読み／書き装置４９とＮＦＣによるデータ通信を行う。ＮＦＣユニット１３には、識別情報（ＮＦＣＩＤ１３ａ）が設定される。ＮＦＣユニット１３のＮＦＣＩＤ１３ａは、ＮＦＣ読み／書き装置４９のＮＦＣユニット３５によって読み取られる。
【００２５】
メモリ１４は、不揮発性のデータ記憶デバイスであり、複数の表示端末１０の個々を識別可能に定められたうちの１つの表示端末ＩＤ１４ａを記憶する。また、メモリ１４は、表示デバイス１５に表示する表示データを記憶する。
【００２６】
表示デバイス１５は、情報サーバ４０から通知に応じた画像を表示するものであり、コントローラ１１の制御により表示内容を変更可能である。表示デバイス１５としては、例えば電子ペーパー、ＬＣＤ（Liquid Crystal Display）などを利用することができる。
【００２７】
伝送システム１７は、コントローラ１１、通信デバイス１２、ＮＦＣユニット１３、メモリ１４及び表示デバイス１５の間でデータを伝送する。伝送システム１７は、システムバスなどの各種のバスと、これらのバスと各部とを接続する各種のインタフェース回路とを含む周知のものであって良い。
【００２８】
表示端末１０は、例えば一般に電子棚札と称されるデバイスによって実現されるため、受験者が持ち歩くことが容易となるように軽量化することができる。特に、表示デバイス１５を電子ペーパーとすることで、消費電力を少なくすることができる（バッテリの軽量化）。
【００２９】
また、本実施形態におけるＮＦＣ読み／書き装置４９は、図３に示すように、ＣＰＵ３１、ＲＯＭ３２、ＲＡＭ３３、ＮＦＣユニット３５、及び通信デバイス３７を含む。  
ＣＰＵ３１は、ＲＯＭ３２に記憶されたプログラムに基づいて各部を制御する。  
ＲＯＭ３２は、プログラムやデータ等を記憶する。  
ＲＡＭ３３は、ＣＰＵ３１が各種の処理を行う上で参照するデータを記憶する。例えば、ＲＡＭ３３は、表示端末１０から読み取ったデータ等を一時的に記憶する。
【００３０】
ＮＦＣユニット３５は、表示端末１０が近接された際に、表示端末１０のＮＦＣユニット１３との間でＮＦＣによるデータ通信を行う。  
通信デバイス３７は、情報サーバ４０と通信するためのデバイスである。
【００３１】
図４は、本実施形態における情報サーバ４０により管理される表示端末管理テーブル４４ａの内容の一例を示す図である。  
表示端末管理テーブル４４ａは、受験者に貸与される表示端末１０と受験者との対応を管理するためのデータである。図４に示すように、表示端末管理テーブル４４ａは、受験者に貸与される表示端末１０に設定された表示端末ＩＤと、表示端末１０のＮＦＣユニット１３に設定されたＮＦＣＩＤ１３ａと、受験票７０から読み取られる受験番号とが対応づけられたデータレコードの集合である。受験番号は、受験者毎に設定される識別情報であり、試験会場の入り口において受験票７０からバーコードスキャナ６１を通じて読み取られる。表示端末１０を識別可能な端末識別情報（表示端末ＩＤ１４ａあるいはＮＦＣＩＤ１３ａ）と、受験者に固有の受験番号を対応づけて表示端末管理テーブル４４ａに記録することで、表示端末１０は、受験票７０を所持する受験者用として設定される。これにより、試験会場内において、試験監督官が携帯端末３０を用いて表示端末１０の表示端末ＩＤ１４ａ（あるいはＮＦＣＩＤ１３ａ）を読み込むことで、何れの受験者に貸与された表示端末１０であるかを識別することができる。
【００３２】
図５は、本実施形態における情報サーバ４０により管理される受験者情報テーブル４４ｂの内容の一例を示す図である。  
受験者情報テーブル４４ｂは、受験者個人に関するデータである。図５に示すように、受験者情報テーブル４４ｂは、受験番号と受験者個人情報などのデータが対応づけられたデータレコードの集合である。受験者個人情報には、例えば受験対象とする試験名称、受験者の氏名、受験者の証明写真（顔写真の画像データ）、生年月日、住所、電話番号、試験会場、試験時間等のデータが含まれる。受験者個人情報は、試験日前に予め記録されるデータである。
【００３３】
なお、表示端末管理テーブル４４ａ、受験者情報テーブル４４ｂ、及び案内データ４４ｃは、別々の記憶デバイスに記憶されていても良い。
【００３４】
次に、本実施形態における受験者管理システムの動作について説明する。なお、以下に説明する処理の内容は一例であって、同様な結果を得ることが可能な様々な処理を適宜に利用できる。
【００３５】
情報サーバ４０は、ＣＰＵ４１により受験者管理プログラムを実行することにより、以下に説明する表示端末設定処理、受験者確認処理を実行する。図６は、本実施形態における表示端末設定処理を示すフローチャート、図７は、本実施形態における受験者確認処理を示すフローチャートである。
【００３６】
まず、図６のフローチャートを参照しながら、表示端末設定処理について説明する。図８は、本実施形態における表示端末設定処理を説明するための図である。表示端末設定処理は、受験者に対して、試験会場で使用する表示端末１０を割り当て、この表示端末１０に受験者用の受験者情報を送信するための処理である。
【００３７】
受験者は、試験会場に到着すると、試験会場の入り口近くに設けられた受け付けに受験票を提示する。入場担当者は、受験者により提示された受験票７０に記録されたバーコードを、バーコードスキャナ６１に読み取らせる（図８、Ｓ１１）。図８に示す例では、受験票７０には、試験会場名称、受験者名、受験番号の他、バーコード７０ａが印刷されている。なお、受験票７０は、受験者の写真が貼り付けられていても良い。
【００３８】
確認端末６０は、バーコードスキャナ６１によってバーコード７０ａが読み取られると、バーコード７０ａが示す受験者の識別情報（受験番号）のデータを情報サーバ４０に送信する（図８、Ｓ１２）。情報サーバ４０は、確認端末６０から受験票７０の識別情報（受験番号）のデータを受信する（ＡＣＴ  Ａ１）。
【００３９】
情報サーバ４０は、確認端末６０から受験番号を受信すると、受験者情報テーブル４４ｂから受験番号に対応する受験者個人情報を読み出し、入り口担当者による受験者の本人確認に必要な情報を受験者情報として確認端末６０に送信する（ＡＣＴ  Ａ２）（図８、Ｓ１３）。例えば情報サーバ４０は、受験者情報として、受験者が試験を受ける試験会場、受験者名、及び受験者の写真（顔写真の画像データ）を送信する。
【００４０】
確認端末６０は、情報サーバ４０から受験者情報を受信すると、ディスプレイに受験者情報の内容を表示する。これにより、入り口担当者は、確認端末６０のディスプレイに表示された内容を参照して、受験票を提示した人が受験者の本人であるかを確認することができる。
【００４１】
入場担当者は、受験者本人であることが確認できない場合には、確認端末６０の図示せぬ入力デバイス（例えばキーボード、タブレットなど）を操作することで、確認ＮＧを情報サーバ４０に通知する。情報サーバ４０は、確認端末６０から確認ＮＧが通知されると（ＡＣＴ  Ａ３、Ｎｏ）、確認端末６０から受信した受験番号に対する表示端末設定処理を終了する。
【００４２】
一方、入場担当者は、受験者本人であることが確認できた場合には、確認端末６０の入力デバイスを操作することで、確認ＯＫを情報サーバ４０に通知する。また、入場担当者は、受験者に貸与する表示端末１０をＮＦＣ読み／書き装置４９に近接させる。
【００４３】
ＮＦＣ読み／書き装置４９は、近接された表示端末１０とのＮＦＣによる通信によって、表示端末１０の表示端末ＩＤを読み出す。ＮＦＣ読み／書き装置４９は、表示端末１０から読み取った表示端末ＩＤを情報サーバ４０に送信する（図８、Ｓ１４）。
【００４４】
情報サーバ４０は、ＮＦＣ読み／書き装置４９から表示端末ＩＤを受信すると、この表示端末ＩＤと対応づけて、入場担当者の操作により確認ＯＫが通知された受験者（受験者ＩＤ）を表示端末管理テーブル４４ａに記録する。これにより、表示端末１０は、受験票７０を用いて受け付けをした受験者用に設定される。従って、表示端末１０は、受験者を確認することができる、電子機器により実現された受験票として使用される。
【００４５】
また、情報サーバ４０は、該当する受験者ＩＤに対応する受験者情報を受験者情報テーブル４４ｂから読み出す。情報サーバ４０は、受験者情報テーブル４４ｂから読み出した受験者情報を、ＮＦＣ読み／書き装置４９から受信した表示端末ＩＤが設定された表示端末１０に対して、端末管理装置２０、無線中継器２１を介して送信する（ＡＣＴ  Ａ５）（図８、Ｓ１５，Ｓ１６）。
【００４６】
図９には、本実施形態における表示端末１０の表示デバイス１５に受験者情報をもとに表示される案内情報の一例を示している。  
図９に示すように、表示端末１０は、例えば試験名称の他、受験者を識別するための受験者名と受験番号１０ａ、及び受験者の顔画像１０ｂが表示される。また、受験者に対して試験会場を案内するための情報として、試験会場（部屋番号）と試験時間１０ｃ、及び試験会場の各部屋の配置を示すレイアウト（建物内地図１０ｄ）などを表示する。建物内地図１０ｄでは、受験者が試験を受ける部屋の部分が、他と異なる形態（特定の色表示、反転表示、点滅表示など）によって表示される。
【００４７】
これにより、受験者は、表示端末１０の表示内容を参照することで、試験要項を容易に把握することができ、また建物内地図１０ｄを参照することにより、試験会場の各部屋の配置を把握していなくても、迷うことなく試験を受ける部屋まで移動することができる。
【００４８】
次に、図７のフローチャートを参照しながら、受験者確認処理について説明する。図１０及び図１１は、本実施形態における受験者確認処理を説明するための図である。受験者確認処理は、試験会場などおいて受験者を確認するために、試験監督官が所持する携帯端末３０によって、受験者情報を閲覧するための処理である。
【００４９】
携帯端末３０は、ＮＦＣによるデータ通信機能を備えている。試験監督官は、携帯端末３０において受験者情報閲覧用のアプリケーションプログラムを起動させ、携帯端末３０を表示端末１０に近接させる。なお、表示端末１０は、例えば試験中において、受験者により机上に置かれている。
【００５０】
携帯端末３０は、受験者情報閲覧用のアプリケーションプログラムに従い、ＮＦＣによるデータ通信機能により、表示端末１０の表示端末ＩＤ１４ａを読み取る（図１０、Ｓ２１）。なお、受験者に貸与した表示端末１０を識別できれば良いため、携帯端末３０は、表示端末ＩＤ１４ａに代えて、ＮＦＣユニット１３に設定されたＮＦＣＩＤ１３ａを読み取るようにしても良い。携帯端末３０は、表示端末１０から読み取った表示端末ＩＤ１４ａ（あるいはＮＦＣＩＤ１３ａ）を、モバイルネットワーク３００、インターネット４００を介して、情報サーバ４０に送信する（図１０、Ｓ２２）。
【００５１】
情報サーバ４０は、携帯端末３０から表示端末ＩＤ１４ａを受信する（ＡＣＴ  Ｂ１）。情報サーバ４０は、表示端末管理テーブル４４ａをもとに、受信した表示端末ＩＤ１４ａに対応する受験番号を判別し、この受験番号に対応する受験者情報のデータを受験者情報テーブル４４ｂから読み出す（ＡＣＴ  Ｃ２）。情報サーバ４０は、受験者情報テーブル４４ｂから読み出した受験者情報のデータを、インターネット４００、モバイルネットワーク３００を介して携帯端末３０に送信する（ＡＣＴ  Ｃ３）（図１０、Ｓ２３）。  
携帯端末３０は、情報サーバ４０から受信した受験者情報のデータをもとに、受験者情報を表示デバイス１５に表示する。
【００５２】
図１１は、携帯端末３０において表示される受験者情報の一例を示す図である。図１１に示す例では、試験名称、受験者名、受験番号、受験者の顔画像を表示している。なお、携帯端末３０は、試験監督官によるボタン操作に応じて、表示デバイス１５に表示される表示内容を変更することができる。例えば、携帯端末３０は、表示内容の変更指示に応じて、表示端末１０に表示されないその他の情報、例えば受験者情報に含まれる生年月日、住所、電話番号などに表示を切り替える。これにより、試験監督官は、携帯端末３０に表示された生年月日、住所、電話番号を受験者に口頭で問い合わせ、正しく回答できるか否かによって受験者本人であることを確認することができる。
【００５３】
なお、前述した説明では、試験会場（部屋）内の試験監督官が受験者情報を確認する場合を例にしているが、表示端末１０を受験者に貸与している間、受験管理者は、試験会場の何れの場所においても、携帯端末３０を使用して受験者情報を閲覧（受験者の確認）をすることができる。
【００５４】
このようにして、表示端末１０の端末識別情報（表示端末ＩＤ１４ａ、ＮＦＣＩＤ１３ａ）を携帯端末３０により読み取り、情報サーバ４０に送信することで、試験監督官などの受験管理者は、自分が所有している携帯端末３０を用いて、受験者の受験者情報を簡単に閲覧することができる。これにより、正当な受験者であることを簡単に確認できるので、なりすまし受験などの不正な受験を防止することが可能となる。
【００５５】
なお、試験が終了すると、受験者は、表示端末１０を受け付け窓口などに返却する。表示端末１０は、窓口担当者の操作により、ＮＦＣ読み／書き装置４９に近接されると、ＮＦＣ読み／書き装置４９により表示端末ＩＤ１４ａ（あるいはＮＦＣＩＤ１３ａ）が読み取られる。情報サーバ４０は、ＮＦＣ読み／書き装置４９から読み取られた表示端末ＩＤ１４ａ（あるいはＮＦＣＩＤ１３ａ）を受信し、表示端末管理テーブル４４ａに記録された表示端末ＩＤ１４ａ（あるいはＮＦＣＩＤ１３ａ）に対応する受験者ＩＤを削除する。これにより、表示端末１０は、他の受験者に貸与可能な状態となる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０…表示端末、１１…コントローラ、１２…通信デバイス、１３…ＮＦＣユニット、１４…メモリ、１４ａ…表示端末ＩＤ、１５…表示デバイス、１６…出力デバイス、２０…端末管理装置、２１…無線中継器、３０…携帯端末、３１…ＣＰＵ、３２…ＲＯＭ、３３…ＲＡＭ、３４…補助記憶デバイス、３５…ＮＦＣユニット、３６…タッチパネル、３７…通信デバイス、４０…情報サーバ、４１…ＣＰＵ、４２…ＲＯＭ、４３…ＲＡＭ、４４…補助記憶デバイス、４４ａ…表示端末管理テーブル、４４ｂ…受験者情報テーブル、４４ｃ…案内データ、４６…通信デバイス、４９…ＮＦＣ読み／書き装置、３００…モバイルネットワーク、４００…インターネット。
【図１】
0006418853.tif 000002
【図２】
0006418853.tif 000003
【図３】
0006418853.tif 000004
【図４】
0006418853.tif 000005
【図５】
0006418853.tif 000006
【図６】
0006418853.tif 000007
【図７】
0006418853.tif 000008
【図８】
0006418853.tif 000009
【図９】
0006418853.tif 000010
【図１０】
0006418853.tif 000011
【図１１】
0006418853.tif 000012